(57)【要約】    【課題】各種情報データの登録、変更、消去の際の回線番号の把握と確認が簡単且つ明確にできるようする。    【解決手段】登録モードスイッチを操作せずに電源スイッチを投入した時に通常監視モードで立ち上がり、操作表示パネルに設けた複数のスイッチおよび表示灯に、保守点検や試験に必要なスイッチ及び表示灯の機能を割り当てられる。登録モード設定スイッチを押しながら電源スイッチを投入した時にデータ登録モードで立ち上がり、操作表示部に設けた複数のスイッチ及び表示灯に、設定情報データの登録、変更、消去に必要なスイッチ及び表示灯の機能を割り当てられる。このとき操作表示部に、操作表示部に設けた複数のスイッチ及び表示灯を、データ登録用のスイッチ及び表示部としての取り扱いを表示したプレート１５を取り付けて操作する。    【選択図】      図３
2008065846.tif 000002
【特許請求の範囲】
【請求項１】
複数の入力手段および表示手段を有する操作表示部を備え、前記複数の入力手段および表示手段の割り当て機能を異ならせた複数の動作モードを有し、前記動作モードを変更するモード変更手段を備えた防災監視制御盤に於いて、
前記操作表示部は、一の動作モード時に複数の前記入力手段および表示手段のそれぞれに割り当てられた機能を表示する一の表示プレートを固定して備え、他の動作モード毎に前記複数の入力手段および表示手段のそれぞれに割り当てられた機能を表示し、前記一の表示プレートに重ねて装着する、一または複数の異なる後付表示プレートを着脱自在に設けたことを特徴とする防災監視制御盤。
【請求項２】
保守点検や試験に必要な取り扱いを表示した複数のスイッチ及び表示灯が設けられた操作表示部と、
盤内に設けられた電源スイッチと、
盤内に設けられた登録モード設定スイッチと、
前記登録モードスイッチを操作せずに前記電源スイッチを投入した時に通常監視モードで立ち上がり、前記操作表示部に設けた複数のスイッチおよび表示灯に、保守点検や試験に必要なスイッチ及び表示灯の機能を割り当てる受信制御部と、
前記登録モード設定スイッチを押しながら前記電源スイッチを投入した時にデータ登録モードで立ち上がり、前記操作表示部に設けた複数のスイッチ及び表示灯に、設定情報データの登録、変更、消去に必要なスイッチ及び表示灯の機能を割り当てる登録処理部と、
前記操作表示部に取付け可能に構成され、前記操作表示部に設けた複数のスイッチ及び表示灯について、データ登録用のスイッチ及び表示部としての取り扱いを表示したプレートと、
を備えたことを特徴とする防災監視制御盤。
【請求項３】
請求項２記載の防災制御盤に於いて、前記操作表示部は操作表示パネルの一部に設けられ、前記操作表示部を設けた操作表示パネルの部分には子扉が設けられたことを特徴とする防災監視制御盤。
【発明の詳細な説明】
【技術分野】
【０００１】
本発明は、回線種別情報、連動情報、空回線情報、個別蓄積解除情報等の各種の設定情報データをメモリに登録して火災等の異常監視や外部機器への移報制御を行う防災監視制御盤に関する。
【背景技術】
【０００２】
従来、例えばP型として知られた回線単位で火災等の異常を監視して移報制御する防災監視制御盤にあっては、メモリに登録された回線種別情報、連動情報、空回線情報、個別蓄積解除情報等の各種の設定情報データに基づいて、火災等の異常監視や外部機器への移報制御を行う。
【０００３】
この各種設定情報データの登録、変更、確認を行うためには、防災監視制御盤にデータ登録モードを設定し、このデータ登録モードの設定状態で、盤前面又は盤内の操作表示部に設けられる操作スイッチ群、回線表示部及び地区表示部を使用して行っている（特許文献１，２）。
【０００４】
このような従来の防災監視制御盤の各種設定情報の登録作業にあっては、登録されている回線番号に対応した地区表示灯が点灯されることで、登録回線を確認できるようにしている。
【０００５】
例えば、連動情報の登録作業の場合にあっては、連動元選択スイッチを操作した後、回線選択スイッチを操作することで連動元の回線番号を回線表示部に表示させると、連動元の回線番号について既に連動先として登録されている回線番号に対応した地区表示灯が点灯し、連動元と連動先の連動関係が確認できるようになっている。
【０００６】
また新規に連動先を登録したい場合には、連動先選択スイッチを操作した後、回線選択スイッチを操作して連動先の回線番号を回線表示部に表示させ、この状態で登録スイッチを操作すると新規に連動先としてメモリに登録される。登録されると、登録した回線番号に対応した地区表示灯が点灯する。
【０００７】
空回線情報や個別蓄積解除情報などの登録作業についても同様にでき、登録されている回線番号は、地区表示灯の点灯を見ることで確認できる。
【特許文献１】特開平９−０９７３９０号公報
【特許文献２】特開平１０−１９８８７４号公報
【特許文献３】特開平８−０１６９６９号公報
【特許文献４】特開平１０−３２６３９８号公報
【発明の開示】
【発明が解決しようとする課題】
【０００８】
しかしながら、このような従来の防災監視制御盤にあっては、例えば連動元回線番号に対する連動先回線番号など登録されている回線番号に対応した地区表示灯を点灯することで、登録されている回線番号を確認できるようにしているため、回線数が例えば５０回線を越えるような防災監視制御盤にあっては、地区表示灯が増える分、盤自体も大型化するので、地区表示灯を見ながら回線番号を確認する作業が煩雑であり、見間違える可能性もあった。
【０００９】
また、盤自体に例えば１０回線毎(５回線単位に２段)に地区表示灯をパネル而に配置するようなものにあっては、回線番号を確認する際、時間はかかるもののまだ数えられるが、盤の種類によっては、地区表示灯を地図上に配置する地図盤というものがあり、地図盤の場合には、地区表示灯だけで容易に回線番号を確認することは困難であった。
【００１０】
本発明は、このような従来の問題点に鑑みてなされたものであり、各種情報データの登録、変更、消去の際の回線番号の把握と確認が簡単且つ明確にできるようにした防災監視制御盤を提供することを目的とする。
【課題を解決するための手段】
【００１１】
このような課題を解決するため、本発明は次のように構成する。
【００１２】
本発明は、複数の入力手段および表示手段を有する操作表示部を備え、前記複数の入力手段および表示手段の割り当て機能を異ならせた複数の動作モードを有し、前記動作モードを変更するモード変更手段を備えた防災監視制御盤に於いて、
操作表示部は、一の動作モード時に複数の前記入力手段および表示手段のそれぞれに割り当てられた機能を表示する一の表示プレートを固定して備え、他の動作モード毎に前記複数の入力手段および表示手段のそれぞれに割り当てられた機能を表示し、一の表示プレートに重ねて装着する、一または複数の異なる後付表示プレートを着脱自在に設けたことを特徴とする。
【００１３】
また本発明は防災監視制御盤であって、
保守点検や試験に必要な取り扱いを表示した複数のスイッチ及び表示灯が設けられた操作表示部と、
盤内に設けられた電源スイッチと、
盤内に設けられた登録モード設定スイッチと、
登録モードスイッチを操作せずに電源スイッチを投入した時に通常監視モードで立ち上がり、操作表示部に設けた複数のスイッチおよび表示灯に、保守点検や試験に必要なスイッチ及び表示灯の機能を割り当てる受信制御部と、
登録モード設定スイッチを押しながら電源スイッチを投入した時にデータ登録モードで立ち上がり、操作表示部に設けた複数のスイッチ及び表示灯に、設定情報データの登録、変更、消去に必要なスイッチ及び表示灯の機能を割り当てる登録処理部と、
操作表示部に取付け可能に構成され、操作表示部に設けた複数のスイッチ及び表示灯について、データ登録用のスイッチ及び表示部としての取り扱いを表示したプレートと、
を備えたことを特徴とする防災監視制御盤。
【００１４】
ここで、操作表示部は操作表示パネルの一部に設けられ、操作表示部を設けた操作表示パネルの部分には子扉が設けられる。
【００１５】
また本発明は、各種の設定情報データをメモリに登録して火災等の異常監視と機器の制御を行う防災監視制御盤に於いて、回線番号を表示する回線表示部、次回線表示灯、次回線選択スイッチ、登録処理部を設ける。
【００１６】
登録処理部は、データ登録モード時、特定の設定情報を選択した際に既に登録されている回線番号を回線表示部に表示し、複数回線が登録されていて一度に回線表示部に表示できない場合に次回線表示灯を点灯し、更に次回線表示灯の点灯状態で次回線選択スイッチを操作する毎に、次回線として登録されている回線番号を回線表示部に順次表示させる。
【００１７】
このため本発明の防災監視制御盤は、操作表示パネルに設けている回線表示部、次回線表示灯、次回線選択スイッチを使用することで回線番号を確認できることから、従来のような地区表示灯を見ながらの回線番号の確認が不要になるため、各種情報データの登録、変更及び消去のための操作が簡単で容易となり、見間違える可能性もない。
【００１８】
また登録処理部は、登録されている回線番号の最後の回線番号を回線表示部に表示している際に、次回線選択スイッチの操作がなされた場合は、回線表示部に最後の回線番号であったことを示す文字または記号を表示する。これによって最後の回線番号であることが簡単に分かる。
【００１９】
更に、登録処理部は、回線表示部に最後の回線番号であったことを示す文字または記号を表示している際に、次回線選択スイッチの操作がなされた場合は、回線表示部に登録されている最初の回線番号を表示する。このように既に情報データの設定が済んでいる回線番号についてラウンドロビンで切替表示し、登録済み回線番号の再確認等を簡単且つ容易にする。
【発明の効果】
【００２０】
本発明によれば、回線番号を表示する回線表示部、次回線表示灯、次回線選択スイッチ及び登録処理部を設け、登録処理部によりデータ登録モード時、特定の設定情報を選択した際に、既に登録されている回線番号を回線表示部に表示し、複数回線が登録されていて一度に回線表示部に表示できない場合に次回線表示灯を点灯し、更に次回線表示灯の点灯状態で次回線選択スイッチを操作する毎に、次回線として登録されている回線番号を回線表示部に順次表示させるようにしたために、回線表示部に表示される回線番号を確認することで、従来のような地区表示灯を見ながらの回線番号の確認が不要となり、各種情報データの登録,変更,消去のための操作が簡単で容易となり、回線番号を見間違える可能性もなくなる。
【００２１】
また登録処理部は、登録されている回線番号の最後の回線番号を回線表示部に表示している際に次回線選択スイッチの操作が出された場合は、回線表示部に最後の回線番号であったことを示す文字または記号を表示するため、これによって複数回線が登録されている場合、最後の回線番号であることが簡単に分かる。
【００２２】
更に登録処理部は、回線表示部に最後の回線番号であることを示す文字または記号を表示している際に次回線選択スイッチの操作がなされた場合は、回線表示部に登録されている最初の回線番号を表示するため、登録済み回線番号の再確認等を簡単且つ容易に行うことができる。
【発明を実施するための最良の形態】
【００２３】
図１は本発明の防災監視制御盤の外観説明図であり、回線単位に監視と制御を行うことができ、受信用回線及び制御用回線の回線接続数を例えば各々最大１３０回線とすることができる。
【００２４】
図１において、防災監視制御盤１は本体に対し開閉自在な前面の扉表面に、上から地区表示パネル２及び操作表示パネル３を設けている。操作表示パネル３の右側には、右端を回転軸として水平回りに開閉自在な小扉５が設けられている。また、操作表示パネル３は、操作が容易で、且つ表示の確認が容易な高さに配置されている。
【００２５】
地区表示パネル２には例えば１０回線を１単位として１３枚のパネルが設けられており、最大１３０回線を表示することができる。
【００２６】
図２は、図１の操作表示パネル３を小扉５を開いた状態で表わしている。図２において、操作表示パネル３の常時露出状態にある左側の部分には、防災監視制御盤の通常の運用に必要な各種のスイッチ及び表示灯が設けられている。
【００２７】
まず上部横一列に、火災代表灯７、防排煙代表灯８及びガス漏れ代表灯９が設けられている。この火災代表灯７の下側には交流電源灯、予備電源灯、回路電圧表示灯、蓄積中灯、スイッチ注意灯、地区音響完全停止中灯、発信機灯、電話灯、表示灯１〜８が設けられている。
【００２８】
また左側には主音響警報を行うためのスピーカの音響窓１１が設けられる。更に操作表示パネル３の下側の部分には、回線表示部１０が設けられている。回線表示部１０は、７セグメントの表示素子を３つ用いて３桁の数値を表示することができる。回線表示部１０の上側には、火災断定/ガス漏れ断定スイッチ、音響停止スイッチ、地区音響停止スイッチが設けられている。
【００２９】
操作表示パネル３の右側の小扉５の装着部分となる操作表示部４には、通常の運用状態では使用することのない保守点検や試験に用いるスイッチ群及び表示灯群を設けている。本発明の防災監視制御盤にあっては、この小扉５の装着部分となる操作表示部４に設けているスイッチ群及び表示灯群を、防災監視制御盤の立ち上げ時などのデータ登録モード時に回線種別情報、空回線情報、個別蓄積解除情報、連動情報等の各種設定情報をメモリに登録するためのスイッチ及び表示部として使用する。また各種設定情報のメモリ登録の際には、操作表示パネル３側に設けている回線表示部１０も使用する。
【００３０】
操作表示部４には本来のスイッチ機能として、上段横一列に左側から、地区音響一斉鳴動スイッチ、試験復旧スイッチ、復旧スイッチが設けられる。中段には左側から縦方向に見ると、火災、防排煙、ガス漏れ、警報障害の各種の主音響停止スイッチ、障害回線確認スイッチ、起動スイッチ、予備電源試験スイッチ、火災試験スイッチ、ガス漏れ試験スイッチ、蓄積解除スイッチ、ガス漏れ遅延解除スイッチ、連動・起動遮断スイッチ、移報停止スイッチ１〜５が設けられている。尚、これらの殆どの各種スイッチの左側近傍にはスイッチ機能に対応して表示灯が設けられている。
【００３１】
更に操作表示部４の下側には回線選択スイッチ１２が設けられる。この回線選択スイッチ１２は、左側の操作表示パネル３に設けている回線表示部１０に対応し、１位、１０位、１００位のそれぞれのスイッチノブを設け、更に回線番号を増加させる方向と減少させる方向のそれぞれについてスイッチノブを設けている。
【００３２】
図３は、図２の操作表示部４に装着されてそのスイッチ群及び表示灯をデータ登録用のスイッチ及び表示部として取り扱うために使用するプレートの説明図である。プレート１５は、上部２箇所及び下部２箇所に突起２０を形成しており、突起２０を図２の操作表示部４側の上下に設けられたプレート保持部１４に嵌め込むことで盤側に装着できる。
【００３３】
プレート１５には、データ登録モードで使用する保守点検用の操作表示部４に設けている各種スイッチのデータ登録用スイッチとしての取扱いを表示している。このプレート１５面の表示は、まず上横２列に連動設定に関する表示を行っている。
【００３４】
この連動設定に関する表示は、ベル区分設定表示部２４ａ、防排煙信号種別表示部２５ａ、連動元表示部２６ａ、連動先表示部２７ａで構成される。ここで、それぞれの表示部の矩形の孔部分には図２の操作表示部４にプレート１５を取り付け保持させた状態でスイッチノブが位置することから、スイッチノブのスイッチ機能を示す番号を説明の都合上、示している。
【００３５】
即ち連動設定については、ベル区分設定スイッチ２４、防排煙信号種別スイッチ２５、連動元スイッチ２６、連動先スイッチ２７として機能するスイッチノブが位置することになる。プレート１５の右上隅には復旧表示部３５ａが設けられ、ここには復旧スイッチ３５が位置する。
【００３６】
連動設定関係の表示部の下側には、左側から縦方向に説明すると、拡大警報タイマ設定表示部２８ａ、空回線設定表示部２９ａ、種別切分表示部３０ａ、警報保持設定表示部３１ａ、個別蓄積解除表示部３２ａ、確認マスク設定表示部３３ａ、次回線表示部２３ａ、セット表示部２１ａ、クリア表示部２２ａ及び音響有無設定表示部３６ａが設けられる。
【００３７】
このうち右側のセット表示部２１ａは各種設定情報のデータをメモリに登録するために使用するスイッチ表示部であり、またクリア表示部２２ａはメモリに登録した内容をクリアするためのクリア操作のためのスイッチ表示部である。更に次回線表示部２３ａは、現在の回線選択状態で登録されている次回線があれば丸形の次回線表示灯２３ａが点灯し、この状態でスイッチ操作することで次回線が選択できる。
【００３８】
このようなスイッチ表示部に対応して、その矩形領域に位置する保守点検用の操作表示部４のスイッチにより拡大警報タイマ設定スイッチ２８、空回線設定スイッチ２９、種別切分スイッチ３０、警報保持設定スイッチ３１、個別蓄積解除スイッチ３２、確認マスク設定スイッチ３３、次回線選択スイッチ２３、セットスイッチ２１、クリアスイッチ２２、更に音響有無設定スイッチ３６のスイッチ機能が設けられる。
【００３９】
また、これら各スイッチに対応して設けられる丸形で示す各表示灯、即ちベル区分設定表示灯２４ｂ、起動表示灯２５ｂ、確認表示灯２５ｃ、連動元表示灯２６ｂ、連動先表示灯２７ｂ、拡大警報タイマ設定表示灯２８ｂ、空回線設定表示灯２９ｂ、警報保持設定表示灯３１ｂ、個別蓄積解除表示灯３２ｂ、確認マスク設定表示灯３３ｂ、音響有無設定表示灯３６ｂは、それぞれの設定情報で点灯し、設定解除で消灯する。
【００４０】
図４は、図３のプレート１５を装着する盤側の保守点検用の操作表示部４を拡大しており、プレート１５の装着によりデータ登録のために使用されるスイッチ及び表示灯を示している。
【００４１】
図５は、本発明による防災監視制御盤１のブロック図である。図５において、防災監視制御盤１にはメインＣＰＵ１０２が設けられる。メインＣＰＵ１０２に対しては回線ユニット１０３ａ,１０３ｂが設けられる。回線ユニット１０３ａからは火報用の感知器回線１０４ａが引き出され、火災感知器１０６ａを接続している。また回線ユニット１０３ａからは制御回線１０５ａが引き出され、地区音響装置１０７を接続している。
【００４２】
回線ユニット１０３ｂからは防排煙用の感知器回線１０４ｂが引き出され、火災感知器１０６ｂを接続している。また回線ユニット１０３ｂからは制御回線１０５ｂが引き出され、防排煙機器１０８を接続している。回線ユニット１０３ａ,１０３ｂは複数設けられ、外部に引出し可能な回線数は例えば最大で１３０回線となる。この最大で１３０回線の感知器回線に対応して制御回線も最大１３０回線を引き出すことができる。１つの回線ユニットは、例えば受信１０回線、制御１０回線を１組としている。
【００４３】
メインＣＰＵ１０２に対しては更に、操作部１１０、表示部１１１、音声合成スピーカを用いた主音響装置１１２、地区表示部１１３ａ,１１３ｂ、移報出力部１１５が設けられる。操作部１１０には図２の操作表示パネル３及び小扉５の内側の操作表示部４に示したスイッチに加え、データ昼録モードを設定するための登録モード設定スイッチ１００が設けられている。
【００４４】
この登録モード設定スイッチ１００は、図１の防災監視制御盤１の内部に設けられており、登録モード設定スイッチ１００を押しながら電源スイッチを投入すると、メインＣＰＵ１０２がデータ登録モードで立ち上がる。また登録モード設定スイッチ１００を操作せずに電源を投入すると通常監視モードで立ち上がる。
【００４５】
メインＣＰＵ１０２に対してはワークメモリとして動作するSＲＡＭ１１６がＣＰＵバス１１７により接続される。更にＣＰＵバス１１７に設けたコネクタ１１８に対し、ＲＯＭパック(メモリパック)１１９に内蔵したフラッシュメモリ１２０を不揮発性メモリとして接続できる。
【００４６】
フラッシュメモリ１２０には、防災監視制御盤の監視制御に必要な回線数、回線種別等の基本データと、感知器回線に対し地区音響装置１１７や防排煙機器１１８を連動制御するための連動データが予め登録されており、電源投入時にフラッシュメモリ１２０からSＲＡＭ１１６に展開され、メインＣＰＵ１０２の監視制御で使用される。
【００４７】
防災監視制御盤１に設けている回線ユニット１０３ａ,１０３ｂ、地区表示部１１３ａ,１１３ｂ、更に移報出力部１１５には、１チップ構成のＣＰＵがそれぞれ設けられており、メインＣＰＵ１０２との間でシリアル通信によりデータのやり取りを行っている。
【００４８】
メインＣＰＵ１０２はプログラム制御により受信制御部１０２ａとしての機能と登録処理部１０２ｂとしての機能を実現する。操作部１１０に設けている登録モード設定スイッチ１００を操作せずに電源を投入すると、メインＣＰＵ１０２は受信制御部１０２ａの機能による通常監視モードで動作する。
【００４９】
受信制御部１０２は、回線ユニット１０３ａ,１０３ｂのローカルＣＰＵからシリアル通信により送られてくる回線発報データを監視し、火災等の異常を判断した場合には表示部１１１により代表表示を出し、また主音響装置１１２により代表火災警報を出し、更に地区表示部１１３ａ,１１３ｂに対し発報回線の地区表示を行わせ、加えて移報出力部１１５に対して移報出力を行わせる。
【００５０】
また受信制御部１０２ａは例えば火報用感知器回線１０４ａの発報を判断した場合には、フラッシュメモリ１２０から展開されたSＲＡＭ１１６の連動データに基づき、発報回線を連動元とし、これに対応する連動先の制御回線を判断し、例えば制御回線１０５ａに接続している地区音響装置１１７を作動させるよう制御出力を行う。
【００５１】
操作部１１０に設けている登録モード設定スイッチ１００を操作しながら電源を立ち上げると、メインＣＰＵ１０２の登録処理部１０２ｂの機能によるデータ登録モードの動作状態となる。データ登録モードの動作状態にあっては、フラッシュメモリ１２０からＳＲＡＭ１１６に展開している基本データ及び連動データの各種の設定情報データの登録,変更,消去ができる。
【００５２】
この場合、図３に示したプレート１５を図４の盤側の操作表示部４に取り付け保持し、データ登録のためのスイッチ操作を行う。ここで本発明の登録処理部１０２ｂにあっては、特定の設定情報を選択した際に、既に登録されている回線番号を図２の回線表示部１０に表示し、複数回線が登録されていて一度に回線表示部１０に表示できない場合には図３の次回線表示灯２３ｂを点灯する。
【００５３】
この次回線表示灯２３ｂの点灯状態で、登録処理部１０２ｂは次回線選択スイッチ２３の操作を判別する毎に、次回線として登録されている回線番号を図２の回線表示部１０に順次表示させる機能を有する。
【００５４】
次に図３のプレート１５のデータ登録用のスイッチ表示を利用した各種の設定情報の登録操作を説明する。
【００５５】
まず火災、防排煙の種別情報の登録を説明する。登録モードを設定するため、図１の防災監視制御盤１の扉を開いて本体内のコントロール基板等に設けている登録モード設定スイッチ１００を押した状態で、同じく本体内に設けている電源スイッチを投入すると、図５のメインＣＰＵ１０２が登録モード設定スイッチ１００のオン状態を認識して、初期設定後に登録処理部１０２ｂによるデータ登録モードに移行する。
【００５６】
データ登録モードが設定できたならば、図３の種別切分スイッチ３０により連動元となる感知器回線に対し火報、防排煙のいずれかの種別情報を設定する。即ち、種別切分スイッチ３０を操作した後に回線選択スイッチ１２を操作して任意の回線番号を回線表示部１０に表示させてセットスイッチ２１を操作することで、表示された回線番号より以前の回線が火報、それ以降の回線が防排煙として種別が自動設定されて登録される。
【００５７】
連動元である感知器回線について火報、防排煙の種別設定ができたならば、次にベル区分設定スイッチ２４により連動元の種別として火報が設定された回線に対応して連動先となる制御回線のうち、地区ベル鳴動のためのベル区分の種別を設定する制御回線数の登録を行う。
【００５８】
このベル区分の設定登録方法を説明すると次のようになる。ベル区分設定スイッチ２４を操作すると、ベル区分の設定モード状態になると共にベル区分設定表示灯２４ｂが点灯する。この状態で回線選択スイッチ１２を操作して、ベル区分に設定したい制御回線数を回線表示部１０に表示させ、セットスイッチ２１を操作することで、ベル区分となる制御回線が登録される。最後に復旧スイッチ３５を操作することでベル区分設定モードを終了する。
【００５９】
尚、連動元の種別として防排煙が設定された受信回線に対応した制御回線については、自動的に防排煙種別が登録される。
【００６０】
次に地区音響区分鳴動についての連動情報の設定方法について説明する。この地区音響区分鳴動の連動にあっては、連動元は火報が設定された感知器回線で、連動先はベル区分が設定された制御回線となる。ベル区分設定スイッチ２４を操作すると、ベル区分の設定モード状態になると共にベル区分設定表示灯２４ｂが点灯する。
【００６１】
この状態で連動元スイッチ２６を操作すると、連動元表示灯２６ｂが点灯すると共に連動元選択状態となる。続いて回線選択スイッチ１２を使用して回線表示部１０に連動元の回線番号を表示させる。次に連動先スイッチ２７を操作すると、連動先表示灯２７ｂが点灯すると共に連動先選択状態となる。
【００６２】
この際に既に連動先が設定されていると、回線表示部に設定済みの回線番号が表示される。連動先が設定されていない場合には回線表示部１０には「―――」が表示され、連動先として登録されている回線番号がないことが確認できる。
【００６３】
また２回線以上連動先が登録されている場合には次回線表示灯２３ｂが点灯する。このように次回線表示灯２３ｂが点灯した場合には、次回線選択スイッチ２３を操作する毎に、連動先として登録されている回線番号が昇順に回線表示部１０に次々に表示され、２回線以上の連動先の登録を確認することができる。
【００６４】
更に、登録されている連動先の最後の回線番号が表示されている状態で次回線選択スイッチ２２を操作すると、回線表示部１０には「Ｅｎｄ」が表示される。この「Ｅｎｄ」が表示されることで、操作前に表示されていた回線番号が連動先の最後の回線番号であったことを確認することができる。
【００６５】
更に、この「Ｅｎｄ」の表示状態で次回線選択スイッチ２２を操作すると、回線表示部１０には登録されている最初の回線番号が表示されるラウンドロビン表示となる。尚、この際、次回線表示灯２３ｂは連続点灯している。
【００６６】
新たに連動先を設定するときは、設定したい連動先の回線番号を回線選択スイッチ１２により回線表示部１０を使用して選択し、セットスイッチ２１を操作することで新規に連動先の登録が行われる。
【００６７】
また連動先を解除したい場合には、解除したい連動先の回線番号を回線選択スイッチ１２により回線表示部１０を使用して選択し、クリアスイッチ２２を操作することで連動先の解除が行われる。最後に復旧スイッチ３５を操作することでベル区分設定モードが終了する。
【００６８】
次に防排煙回線についての連動情報の設定方法について説明する。この防排煙回線についての連動にあっては、連動元は防排煙が種別設定された感知器回線、連動先も防排煙が種別設定された制御回線となる。連動元スイッチ２６を操作すると、連動元表示灯２６ｂが点灯すると共に連動元選択状態となる。
【００６９】
続いて回線選択スイッチ１２を使用して回線表示部１０に防排煙が種別設定された連動元の回線番号を表示させる。この状態で防排煙信号種別スイッチ２５を操作することで、連動元信号を確認にするのか起動にするのかを選択する。防排煙回線には連動元信号として確認と起動があり、この確認と起動のいずれで連動させるかを、この防排煙信号種別スイッチ２５を操作することで設定することができる。
【００７０】
通常は起動が設定されており、設定状態を示すために起動表示灯２５ｂが点灯する。防排煙信号種別スイッチ２５を操作することで、起動から確認に切り替わり設定されると共に確認表示灯２５ｃが消灯する。ここで、防排煙信号種別スイッチ２５を操作するごとに起動と確認が反転する。この防排煙信号種別が設定できたならば、次に連動先スイッチ２７を操作する。これ以降の操作については地区音響区分鳴動についての連動情報の設定登録方法と同様である。
【００７１】
次に空回線の設定を説明する。データ登録モードの状態で空回線設定スイッチ２９を操作すると、空回線の設定モード状態となる。このとき既に空回線が設定されている回線がある場合については、回線表示部１０に空回線が設定されている回線の先頭番号が表示されると共に空回線設定表示灯２９ｂが点灯する。空回線が登録されていない場合、回線表示部１０には「―――」が表示され、登録されている空回線がないことが確認できる。
【００７２】
２回線以上の空回線が登録されている場合には、次回線表示灯２３ｂが点灯する。この次回線表示灯２３ｂの点灯状態で次回線選択スイッチ２３を操作すると、スイッチ操作毎に空回線として登録されている回線番号が昇順に回線表示部１０に次々と表示され、２以上の空回線の回線番号を確認することができる。
【００７３】
登録されている最後の回線番号が回線表示部１０に表示されている状態で次回線選択スイッチ２２を操作すると、回線表示部１０には「Ｅｎｄ」が表示される。この「Ｅｎｄ」が表示されることで、操作前に表示されていた回線番号が空回線として登録されている最後の回線番号であったことが確認することができる。
【００７４】
更に回線表示部１０に「Ｅｎｄ」が表示された状態で次回線選択スイッチ２２を操作すると、回線表示部１０には登録されている最初の回線番号が表示されるラウンドロビン表示が行われる。尚、この際、次回線表示灯２３ｂは連続点灯している。
【００７５】
新たに空回線を設定するときは回線選択スイッチ１２により回線表示部１０を使用して回線を選択し、セットスイッチ２１を押せばよい。これにより空回線設定表示灯２９ｂが点灯するため、空回線の登録ができたことが確認できる。空回線の登録を解除する場合には、回線選択スイッチ１２により回線表示部１０を使
用して解除したい回線を選択し、クリアスイッチ２２を押せば空回線の昼録が解除となる。この際、空回線設定表示灯２９ｂが消灯するため、空回線の設定解除ができたことが確認できる。最後に復旧スイッチ３５を操作することで空回線設定モードが終了する。
【００７６】
これ以外の警報保持設定スイッチ３１による設定、個別蓄積解除スイッチ３２による設定、確認マスク設定スイッチ３３による設定、音響有無設定スイッチ３６による設定については、空回線設定スイッチ２９の場合と同様、各スイッチの操作により対応するデータ登録モード状態を作り出し、その状態で回線表示部１０により新たに設定する回線を選択してセットスイッチを押すことで新規登録ができ、既に登録済みの回線については回線選択スイッチ１２で回線番号を選択した状態でクリアスイッチ２２を押せば解除することができる。
【００７７】
また、既に２回線以上登録されている場合には次回線表示灯２３ｂが点灯し、次回線選択スイッチ２３を操作する毎に、登録されている回線番号が昇順に回線表示部１０に次々に表示される。また登録されている最後の回線番号が表示されている状態で次回線選択スイッチ２２を操作すると、回線表示部には「End」が表示される。
【００７８】
更に、この状態で次回線選択スイッチ２２を操作すると、回線表示部１０には登録されている最初の回線番号が表示される。
【００７９】
尚、登録処理部１０２ｂは、それぞれの設定情報について、２回線以上の登録がなされると昇順に並び替えて登録するため、次回線選択スイッチを操作する毎に、回線表示部１０には回線番号が昇順に順次表示される。したがって、登録されている回線番号の確認が容易である。
【００８０】
また本発明は、その目的と利点を損なわない範囲の適宜の変形を含み、更に上記の実施形態に示した数値による限定は受けない。
【図面の簡単な説明】
【００８１】
【図１】本発明による防災監視制御盤の外観説明図
【図２】小扉を開いた状態での図１の操作表示パネルの説明図
【図３】データ登録スイッチの取扱いを表示したプレートの説明図
【図４】図３のプレートのスイッチ取扱表示に対応した図２の操作パネルにおける小扉装着部分の拡大図
【図５】本発明による防災監視制御盤のブロック図
【符号の説明】
【００８２】
１:防災監視制御盤
２:地区表示パネル
３:操作表示パネル
４:操作表示部
５:小扉
７:火災代表灯
８:防排煙代表灯
９:ガス漏れ代表灯
１０:回線表示部
１１:音響窓
１２:回線選択スイッチ
１５:プレート
２０:突起
２１:セットスイッチ
２１ａ:セット表示部
２２:クリアスイッチ
２２ａ:クリア表示部
２３:次回線選択スイッチ
２４:ベル区分設定スイッチ
２４ａ:ベル区分設定表示部
２４ｂ:ベル区分設定表示灯
２５:防排煙信号種別スイッチ
２６:連動元スイッチ
２６ａ:連動元表示部
２７:連動先スイッチ
２７ａ:連動先表示部
２８:拡大警報タイマ設定スイッチ
２８ａ:拡大警報タイマ設定表示部
２９:空回線設定スイッチ
２９ａ:空回線設定表示部
３０:種別切分スイッチ
３０ａ:種別切分表示部
３１:警報保持設定スイッチ
３１ａ:警報保持設定表示部
３２:個別蓄積解除スイッチ
３２ａ:個別蓄積解除表示部
３３:確認マスク設定スイッチ
３３ａ:確認マスク設定表示部
３５:復旧スイッチ
３５ａ:復旧表示部
３６:音響有無設定スイッチ
３６ａ:音響有無設定表示部
１００:登録モード設定スイッチ
１０２:メインＣＰＵ
１０２ａ:受信制御部
１０２ｂ:登録処理部
【図１】
2008065846.tif 000003
【図２】
2008065846.tif 000004
【図３】
2008065846.tif 000005
【図４】
2008065846.tif 000006
【図５】
2008065846.tif 000007